(57)【要約】【課題】  システムＩＤの検索処理を高速化して、多くのシステムＩＤを登録してより多くのシステムで端末を使用可能とし、使い勝手を向上させることができるＰＨＳ端末を提供する。【解決手段】  サブシステムＩＤ登録テーブル１６ｂにＩＤ番号順に複数のサブシステムＩＤとそれに対応する接続回数を記憶し、頻度表に接続回数の多いサブシステムＩＤを回数の多い順に特定数記憶しておき、システムＩＤの検索時に、制御部１５の検索処理手段１５ａが、受信信号から検出されたシステムＩＤを頻度表１６ｃのシステムＩＤと頻度順に比較し、一致しない場合にはサブシステムＩＤ登録テーブル１６ｂと比較して、一致するシステムＩＤがあれば当該システムＩＤで接続すると共に、サブシステムＩＤ登録テーブル１６ｂ及び頻度表１６ｃを更新するＰＨＳ端末としている。【選択図】        図１
2008211306.tif 000002
【特許請求の範囲】
【請求項１】
記憶部と、固有のシステムＩＤを備えた通信システムとの接続を制御する制御部とを備えたＰＨＳ端末であって、
前記記憶部が、
ＩＤの番号順に複数のサブシステムのシステムＩＤ及びそれに対応する接続回数を記憶するサブシステムＩＤ登録テーブルと、
接続回数の多い順に前記サブシステムＩＤ登録テーブルより少ない数のサブシステムＩＤを記憶する頻度表とを備え、
前記制御部が、受信電波中から検出されたシステムＩＤと、前記頻度表に記憶されているサブシステムＩＤとが一致するか否かを頻度順に判断し、一致しなければ前記サブシステムＩＤ登録テーブルに記憶されているサブシステムＩＤのいずれかと一致するか否かを判断し、
前記検出されたシステムＩＤが、前記頻度表又は前記サブシステムＩＤ登録テーブルに記憶されているサブシステムＩＤのいずれかと一致した場合には、当該システムＩＤを備えた通信システムへの接続を行い、
接続を行った場合には、前記サブシステムＩＤ登録テーブルの当該接続したシステムＩＤに対応する接続回数を更新し、前記更新されたサブシステムＩＤ登録テーブルに基づいて前記頻度表を更新することを特徴とするＰＨＳ端末。
【発明の詳細な説明】
【技術分野】
【０００１】
本発明は、異なるシステムＩＤを備えた複数のシステムで利用されるＰＨＳ端末に係り、特にシステムＩＤの検索を高速化して、多くのサブシステムを登録してもローミングを迅速に行うことができるＰＨＳ端末に関する。
【背景技術】
【０００２】
［先行技術の説明：図７］
ＰＨＳを利用した通信システムについて図７を用いて説明する。図７は、ＰＨＳを利用した通信システムの概略構成ブロック図である。
ＰＨＳを利用した通信システムは、図７に示すように、複数のシステム（システム１〜システムｎ）から構成されている。
そして、各システムは、ＰＨＳ端末７１と、データ端末７２と、無線基地局７３と、主制御装置７４と、ＰＨＳ位置表示端末７５と、固定電話機７６と、構内交換機（ＰＢＸ）７７と、ＬＡＮ（Local Area Network）７８と、サーバ７９とを備えている。
【０００３】
ＰＨＳ端末７１は、利用者が携帯して通話やデータ通信を行うものである。
データ端末７２は、各種データを管理するものであり、データを入力、記憶し、利用者の操作によってデータを表示する。また、ＰＨＳ端末７１に接続されてデータの送受信を行う。
無線基地局７３は、ＰＨＳ端末７１と主制御装置７４との間の中継局であり、ＰＨＳ端末７１と無線通信を行うものである。
【０００４】
主制御装置７４は、システム内の通話及びデータ通信の制御を行うものであり、システム毎に対応する固有のシステムＩＤを記憶している。
ＰＨＳ位置表示端末７５は、主制御装置１が管理しているＰＨＳ端末７１の位置データに基づいて、各ＰＨＳ端末７１の位置を表示するものである。
【０００５】
固定電話７６は主制御装置７４に有線で接続され、通話を行う。
ＰＢＸ７７は、ＰＢＸ７７に接続されている複数の内線端末（図示せず）の回線制御を行い、主制御装置７４を介して他の構成要素と内線端末との通信を実現する。
サーバ７９は、ＬＡＮ７８を介して主制御装置７４に接続され、各種データを管理し、提供する。
尚、当該システム１〜システムｎは、工場や事業所、又は列車や駅等で用いられるものであり、列車で用いられる場合にはＰＢＸ７７等は通常設けられていない。
【０００６】
そして、上記通信システムにおいて、ＰＨＳ端末７１は、利用可能な複数のシステムのシステムＩＤを予め記憶しておき、電源投入時に、主制御装置７４から受信したシステムＩＤが予め記憶されているシステムＩＤと一致した場合に、当該システムにおいて利用可能となり、通話やデータ通信を行うことができるものである。
【０００７】
ここで、従来のＰＨＳ端末７１について説明する。
従来のＰＨＳ端末７１は、記憶部（図示せず）に、通常使用するシステムのＩＤとしてホームシステムＩＤを１つ記憶し、更に、ホームシステムＩＤ以外の９個のサブシステムＩＤを記憶している。
【０００８】
そして、使用時（電源オン時）には、まず受信電波中にホームシステムＩＤと同じシステムＩＤを含む電波があるかどうかを判断し、あった場合には当該システムＩＤでの接続を行う。ホームシステムＩＤと同じものがなければ、受信電波のシステムＩＤがサブシステムＩＤのいずれかと一致するかどうかを検索して比較し、一致した場合には当該サブシステムＩＤで接続する。
【０００９】
尚、本明細書においては、ＰＨＳ端末７１を異なるシステムＩＤを有する複数のシステムで使用し、あるシステム（例えばホームシステム）から別のシステムに移動して使用することを「ローミング」と称する。図７の例では、ＰＨＳ端末７１ｃがシステム１からシステムｎにローミングした状態を表している。
ローミング時には、ＰＨＳ端末７１は、移動先のシステムにおいて、改めて主制御装置７４からシステムＩＤを取得して、予め記憶されているシステムＩＤと一致した場合にローミング可能となるものである。
【００１０】
次に、上記通信システムにおける従来のＰＨＳ端末７１の接続時の処理について図８を用いて説明する。図８は、従来のＰＨＳ端末７１の接続時の処理（システムＩＤ検索処理）を示すフローチャート図である。
図８に示すように、システムＩＤ検索処理では、ＰＨＳ端末７１は受信電波を検波し、検出したシステムＩＤを受信レベルの大きい順に最大４個まで検波テーブルに格納する（２００）。検波テーブルは、ＰＨＳ端末７１の記憶部（図示せず）に設けられ、検波によって検出されたシステムＩＤを記憶するテーブルである。
【００１１】
そして、ＰＨＳ端末７１は、検波テーブルに記憶されたシステムＩＤが、予め記憶されているホームシステムＩＤと一致するか否かを判断し（２０２）、一致する場合には当該ホームシステムＩＤで接続し（２０６）、処理を終わる。尚、ホームシステムＩＤは、記憶部に設けられたホームシステムＩＤ格納エリアに１つ記憶されている。
【００１２】
また、検波テーブルに記憶されたシステムＩＤが、予め記憶されているホームシステムＩＤと一致しなかった場合には、検波テーブルに記憶されているシステムＩＤを受信レベルの高い順にサブシステムＩＤと比較する（２０４）。サブシステムＩＤは、記憶部に設けられたサブシステムＩＤ登録テーブルに記憶されており、上述したように９個のシステムＩＤが記憶されている。
【００１３】
そして、処理２０４で、検波テーブルに記憶されているシステムＩＤが、いずれかのサブシステムＩＤと一致した場合には、当該システムＩＤでローミング接続し（２０６）、処理を終わる。
【００１４】
［先行技術文献］
尚、ＰＨＳを利用した通信システムの先行技術としては、平成１４年１２月６日公開の特開２００２−３５４５２７号「無線通信システム」（出願人：株式会社日立国際電気、発明者：水瀬雅弘）がある。
この従来技術は、移動端末が、ホームＰＢＸにローミング予約要求を行うと、ホームＰＢＸが空きローミング回線を移動端末用に予約すると共に、ビジタＰＢＸに予約データを送信し、ビジタＰＢＸが該当するローミング回線を移動端末用に予約し、当該移動端末からローミング回線の割り当てが要求されると、予約されているローミング回線を割り当てる無線通信システムであり、ビジタＰＢＸエリアに移動した後も確実に通信可能となり、利便性を向上できるものである。
【００１５】
【特許文献１】特開２００２−３５４５２７号公報
【発明の開示】
【発明が解決しようとする課題】
【００１６】
しかしながら、従来のＰＨＳ端末では、登録されたサブシステムの数が多いとシステムＩＤの検索処理に時間がかかり、ローミングに要する時間が長くなって、乗務員が複数の列車に乗り換えて乗務する場合等、頻繁にローミングが必要な場合には特に不便であるという問題点があった。
【００１７】
また、従来のＰＨＳ端末は、登録可能なシステムＩＤの数が少ないため、端末を使用できる場所が限られており、特に列車や駅毎に異なるシステムＩＤを備えている通信システムでは、乗務員は列車毎に使用する端末を変えなければならず、また、当該端末を駅で使用することができず、著しく不便であるという問題点があった。
【００１８】
本発明は、上記実情に鑑みて為されたもので、ローミング時のシステムＩＤの検索処理を高速化して、多くのシステムＩＤを登録してより多くのシステムで端末を使用可能とし、使い勝手を向上させることができるＰＨＳ端末を提供することを目的とする。
【課題を解決するための手段】
【００１９】
上記従来例の問題点を解決するための本発明は、記憶部と、固有のシステムＩＤを備えた通信システムとの接続を制御する制御部とを備えたＰＨＳ端末であって、記憶部が、ＩＤの若番順に複数のサブシステムのシステムＩＤ及びそれに対応する接続回数を記憶するサブシステムＩＤ登録テーブルと、接続回数の多い順にサブシステムＩＤ登録テーブルより少ない数のサブシステムＩＤを記憶する頻度表とを備え、制御部が、受信電波中から検出されたシステムＩＤと、頻度表に記憶されているサブシステムＩＤとが一致するか否かを頻度順に判断し、一致しなければサブシステムＩＤ登録テーブルに記憶されているサブシステムＩＤのいずれかと一致するか否かを判断し、検出されたシステムＩＤが、頻度表又はサブシステムＩＤ登録テーブルに記憶されているサブシステムＩＤのいずれかと一致した場合には当該システムＩＤを備えた通信システムへの接続を行い、接続を行った場合には、サブシステムＩＤ登録テーブルの当該接続したシステムＩＤに対応する接続回数を更新し、更新されたサブシステムＩＤ登録テーブルに基づいて頻度表を更新することを特徴としている。
【発明の効果】
【００２０】
本発明によれば、記憶部が、ＩＤの番号順に複数のサブシステムのシステムＩＤ及びそれに対応する接続回数を記憶するサブシステムＩＤ登録テーブルと、接続回数の多い順にサブシステムＩＤ登録テーブルより少ない数のサブシステムＩＤを記憶する頻度表とを備え、制御部が、受信電波中から検出されたシステムＩＤと、頻度表に記憶されているサブシステムＩＤとが一致するか否かを頻度順に判断し、一致しなければサブシステムＩＤ登録テーブルに記憶されているサブシステムＩＤのいずれかと一致するか否かを判断し、検出されたシステムＩＤが、頻度表又はサブシステムＩＤ登録テーブルに記憶されているサブシステムＩＤのいずれかと一致した場合には当該システムＩＤを備えた通信システムへの接続を行い、接続を行った場合には、サブシステムＩＤ登録テーブルの当該接続したシステムＩＤに対応する接続回数を更新し、更新されたサブシステムＩＤ登録テーブルに基づいて頻度表を更新するとしているので、接続の実績に基づいて接続の可能性の高い頻度表から優先的に検索して、システムＩＤの検索を高速化することにより、多くのサブシステムＩＤを登録してもローミングを迅速に行うことができ、多くのシステムでＰＨＳ端末を利用でき、利便性を向上させることができる効果がある。
【発明を実施するための最良の形態】
【００２１】
［発明の概要］
本発明の実施の形態について図面を参照しながら説明する。
本発明の実施の形態に係るＰＨＳ端末は、過去の接続回数の多いシステムＩＤを一定数登録した頻度表を備え、システムＩＤの検索時には、まず、受信電波中から検出されたシステムＩＤ（検波ＩＤ）がホームシステムＩＤと一致するかを判断し、一致しない場合には頻度表に登録されたシステムＩＤと一致するかどうかを頻度順に検索し、更に一致しない場合には番号順に登録されたサブシステムＩＤを二分探索法で検索するものであり、接続の可能性の高いものから優先的に検索すると共に、検索回数を低減することができ、システムＩＤの検索時間を短縮して、多くのサブシステムＩＤが登録されていてもローミング時にＰＨＳを迅速に使用可能な状態とすることができ、利便性を向上させることができるものである。
【００２２】
また、本実施の形態に係るＰＨＳ端末は、接続したシステムＩＤの中で最新のものをホームシステムＩＤとして登録するものであり、接続の可能性の高いシステムＩＤから優先的に検索することで、システムＩＤの検索時間を短縮できるものである。
【００２３】
また、本実施の形態に係るＰＨＳ端末は、最も接続回数の多いシステムＩＤをホームシステムＩＤとして登録するものであり、接続の可能性の高いシステムＩＤから優先的に検索することで、システムＩＤの検索時間を短縮できるものである。
【００２４】
また、本実施の形態に係るＰＨＳ端末は、システムＩＤの検索時に、受信電波中から検出されたシステムＩＤ（検波ＩＤ）が頻度表に登録されたシステムＩＤと一致するかどうかを頻度順に検索するものであり、処理を軽減できるものである。
【００２５】
［本実施の形態のＰＨＳ端末の構成］
本発明の実施の形態に係るＰＨＳ端末の構成について図１を用いて説明する。図１は、本発明の実施の形態に係るＰＨＳ端末の構成ブロック図である。
本実施の形態に係るＰＨＳ端末（本ＰＨＳ端末）は、図７に示した通信システムにおいて用いられる端末であり、無線基地局を介して主制御装置と通信を行って通話やデータ通信を実現するものである。
【００２６】
図１に示すように、本ＰＨＳ端末は、マイク１１と、スピーカ１２と、操作部１３と、表示部１４と、制御部１５と、記憶部１６と、無線部１７とを備えている。
更に、制御部１５には、本ＰＨＳ端末の特徴部分である検索処理手段１５ａが設けられ、記憶部１６には、ホームＩＤ記憶エリア１６ａと、サブシステムＩＤ登録テーブル１６ｂと、頻度表１６ｃと、検波テーブル１６ｄとが設けられている。
【００２７】
各構成部分について説明する。
マイク１１は、音声信号を入力して電気信号に変換して出力する。
スピーカ１２は、電気信号を入力して音声信号に変換して出力する。
操作部１３は、キー入力部を備え、番号や各種操作の指示を入力する。
表示部１４は、液晶ディスプレイ等で構成され、制御部１５からの指示に従ってデータを表示する。
【００２８】
制御部１５は、ＣＰＵ等で構成され、記憶部１５に記憶されている処理プログラムを起動することにより本ＰＨＳ端末全体の制御を行うものであり、特に、本ＰＨＳ端末の特徴として、ローミング時に高速にシステムＩＤを検索する検索処理手段１５ａを備えている。検索処理手段１５ａは、記憶部１６に記憶されている特定のプログラムがＣＰＵの処理によってメインメモリに展開され、起動されることにより実現されるものである。検索処理手段１５ａの処理については後で詳細に説明する。
【００２９】
記憶部１６は、ＲＡＭ（Random Access Memory）やＥＥＰＲＯＭ（Electronically Erasable and Programmable Read Only Memory）等のメモリで構成され、制御部１６における処理プログラムやデータを記憶するものである。記憶部１６に記憶されている各種データについては後で詳細に説明する。
【００３０】
無線部１７は、アンテナを備え、制御部１５からの指示に従って送信データを変調して無線基地局への無線送信を行うと共に、受信した無線信号を復調して受信データを制御部１５に出力する。
【００３１】
次に、記憶部１６に記憶されているデータについて具体的に説明する。
［ホームＩＤ記憶エリア１６ａ］
ホームＩＤ記憶エリア１６ａは、制御部１５によって登録されたホームシステムＩＤを１つ記憶するものである。従来はホームシステムＩＤは固定的に登録されていたが、本装置では、制御部１５の検索処理手段１５ａによって随時変更可能としており、例えば、後述するサブシステムＩＤ登録テーブル１６ｂに登録されたＩＤの中で、直近に接続されたシステムＩＤ又は最も接続回数の多いシステムＩＤがホームシステムＩＤ記憶エリア１６ａに記憶されている。これにより、本ＰＨＳ端末では、より接続の可能性の高いシステムＩＤをホームシステムＩＤに登録して、高速検索を可能としているものである。
【００３２】
［サブシステムＩＤ登録テーブル１６ｂ：図２］
図２は、サブシステムＩＤ登録テーブル１６ｂの模式説明図である。
サブシステムＩＤ登録テーブル１６ｂは、当該ＰＨＳ端末が接続可能なシステムのシステムＩＤ及びシステムＩＤ毎の接続回数を記憶するテーブルである。図２に示すように、サブシステムＩＤ登録テーブル１６ｂは、オフセットと、サブシステムＩＤと、接続回数とを対応付けて記憶している。
【００３３】
本ＰＨＳ端末の特徴として、サブシステムＩＤ登録テーブル１６ｂは、２９９個（オフセット０〜オフセット２９８）のサブシステムＩＤを若番順に記憶している。若番順に記憶することにより、後述する２分探索法による検索を可能とするものである。サブシステムＩＤの登録は、操作部１３からの指示に基づいて、制御部１５の処理によって行われる。
そして、あるサブシステムＩＤでの接続が行われると、当該サブシステムＩＤの接続回数に１が加算されて更新される。
【００３４】
また、本ＰＨＳ端末の特徴として、サブシステムＩＤ登録テーブル１６ｂに登録されているサブシステムＩＤの内のいずれか１つが、検索処理手段１５ａの処理によりホームシステムＩＤとしてホームＩＤ記憶エリア１６ａに記憶されるものである。
【００３５】
例えば、列車毎に異なるシステムＩＤを備えた通信システムでは、従来はＰＨＳ端末に登録可能なシステムＩＤの数が少なかったため使用可能な端末が限定されていたが、本ＰＨＳ端末では、検索処理の高速化を図ることにより、多数のサブシステムＩＤを登録でき、列車だけでなく駅構内でも同じＰＨＳ端末を使用することが可能となり、利便性を向上させることができるものである。
【００３６】
［頻度表１６ｃ：図３］
図３は、頻度表１６ｃの模式説明図である。
図３に示すように、頻度表１６ｃは、サブシステムＩＤ登録テーブル１６ｂに登録されているサブシステムＩＤの中で、接続回数の多いサブシステムＩＤを一定数抽出して、回数の多い順に記憶したテーブルである。ここで、頻度表１６ｃに登録されるサブシステムＩＤは、サブシステムＩＤ登録テーブル１６ｂに登録されているサブシステムＩＤの数より少なくし、優先的に検索するようになっている。
【００３７】
図３の例では、頻度表１６ｃは、最大５個（オフセット０〜オフセット４）のサブシステムＩＤとそれに対応する接続回数を記憶している。但し、接続回数が１以上でないと頻度表１６ｃに記憶されず、図３の例では、接続回数が１以上のサブシステムＩＤが４個しかないため、オフセット４に対応する部分はシステムＩＤは記憶されていない。
尚、頻度表１６ｃのデータは、ＥＥＰＲＯＭ（Electronically Erasable and Programmable Read Only Memory）に記憶されている。
【００３８】
［検波テーブル１６ｄ：図４］
図４は、検波テーブル１６ｄの模式説明図である。
検波テーブル１６ｄは、ＰＨＳ端末が一定時間検波を行い、検出したシステムＩＤを受信レベルの高い順に一定数記憶するテーブルである。図４の例では、オフセット０〜オフセット３の４個のシステムＩＤが受信レベルの高い順に記憶されている。
そして、本ＰＨＳ端末では、検索処理手段１５ａが、検波テーブル１６ｄに記憶されたシステムＩＤについて、ホームＩＤ記憶エリア１６ａ、頻度表１６ｃ、サブシステムＩＤ登録テーブル１６ｂを順次検索して、接続可能なシステムＩＤを決定するようになっている。尚、検波テーブル１６ｄは、制御部１５内のワークエリアに設けても構わない。
【００３９】
［本ＰＨＳ端末の動作］
次に、本ＰＨＳ端末のシステムＩＤの検索時の動作の概略について説明する。
本ＰＨＳ端末の制御部１５では、システムＩＤの検索時には、検波で検出されたシステムＩＤを、まずホームシステムＩＤと比較し、一致しなかった場合は、頻度表１６ｃと比較して、一致するかどうかを判断する。
ホームシステムＩＤ及び頻度表１６ｃに記憶されているシステムＩＤは、過去の実績から考えて接続する可能の高いものであるため、優先的に検索して、検索処理の高速化を図るものである。
【００４０】
そして、検出されたシステムＩＤが、ホームシステムＩＤ及び頻度表１６ｃの検索でいずれも一致しなかった場合は、２９９個のサブシステムＩＤが登録されているサブシステムＩＤ登録テーブル１６ｂの検索を行うが、その際には二分探索法を用いて比較回数を少なくし、処理の高速化を図るようにしている。
【００４１】
［検索処理手段１５ａの動作：図５］
本ＰＨＳ端末の特徴である検索処理手段１５ａの動作（システムＩＤ検索処理）について図２，３，４及び図５を用いて説明する。図５は、検索処理手段１５ａの処理を示すフローチャート図である。
本ＰＨＳ端末の検索処理手段１５ａは、ＰＨＳ端末の電源のオフ／オンがなされた場合に、接続すべきシステムを決定するためにシステムＩＤ検索処理を開始する。
電源のオフ／オンがなされると、検索処理手段１５ａは、一定時間検波を行って、受信した無線信号中に含まれるシステムＩＤを検出する。この時、図４に示したように、従来と同様に受信レベルの高い順にシステムＩＤを最大４個まで検出して、記憶部１６の検波テーブル１６ｄに登録する（１００）。
【００４２】
そして、検索処理手段１５ａは、従来と同様に、検波テーブル１６ｄに登録されているシステムＩＤを、受信レベルの高いものから順にチェック対象のシステムＩＤとして、記憶部１６のホームＩＤ記憶エリア１６ａに記憶されているホームシステムＩＤと同一か否かを判断する（１０２）。
チェック対象のシステムＩＤがホームシステムＩＤと一致した場合には、検索処理手段１５ａは、処理１１０に移行して当該システムＩＤで接続を行う（１０６）。
【００４３】
また、検波テーブル１６ｄに登録されているシステムＩＤが、いずれもホームシステムＩＤと一致しなかった場合には、検索処理手段１５ａは、検波テーブル１６ｄに登録されているシステムＩＤを、受信レベルの高いものから順にチェック対象のシステムＩＤとして、頻度表１６ｃに記憶されているシステムＩＤと一致するか否か比較する（１０４）。
【００４４】
この時、検索処理手段１５ａは、頻度表１６ｃの先頭から、すなわち接続回数の多いシステムＩＤから順に比較していく。図３に示したように、頻度表１６ｃには５個のシステムＩＤが登録されており、検索処理手段１５ａは検波テーブル１６ｄの４個のシステムＩＤを順番にチェック対象として頻度表１６ｃのシステムＩＤと比較する。
【００４５】
そして、検波テーブル１６ｄのシステムＩＤのいずれかが頻度表１６ｃのシステムＩＤのいずれかと一致した場合には、検索処理手段１５ａは、処理１１０に移行して当該システムＩＤでローミング接続を行う（１０６）。
【００４６】
処理１０２において、検波テーブル１６ｄのシステムＩＤがいずれも頻度表１６ｃのシステムＩＤと一致しなかった場合には、検索処理手段１５ａは、検波テーブル１６ｄに登録されているシステムＩＤについて、受信レベルの高いものから順にサブシステムＩＤ登録テーブル１６ｂに記憶されているシステムＩＤと一致するか否か比較する（１０６）。
【００４７】
ここで、本ＰＨＳ端末の特徴として、検索処理手段１５ａは、２分探索法によって比較を行う。
２分探索法について簡単に説明する。
図２に示したように、本ＰＨＳ端末のサブシステムＩＤ登録テーブル１６ｂには２９９個のサブシステムＩＤが登録されており、それらが若番順にオフセット０〜２９８に対応付けられて格納されている。尚、若番順ではなく逆の順番であっても構わない。
【００４８】
検索処理手段１５ａは、検波テーブル１６ｄから１つのシステムＩＤを読み出すと、まず、当該チェック対象のＩＤとサブシステムＩＤ登録テーブル１６ｂの中心に格納されているオフセット１４９のサブシステムＩＤとを比較する。一致した場合には処理１０６に移行して当該システムＩＤでローミング接続する。
【００４９】
一致しなかった場合、検索処理手段１５ａは、チェック対象のＩＤとオフセット１４９のサブシステムＩＤの大小を比較する。
そして、チェック対象のＩＤのほうが小さい場合には、検索処理手段１５ａは、検索範囲を前半に絞って、次はオフセット０〜オフセット１４８の中心に格納されているオフセット７９のサブシステムＩＤと、チェック対象のＩＤとを比較する。
逆に、チェック対象のＩＤのほうが大きい場合には、検索処理手段１５ａは、検索範囲を後半に絞って、次はオフセット１５０〜オフセット２９８の中心に格納されているオフセット２２９のサブシステムＩＤと、チェック対象のＩＤとを比較する。
【００５０】
以下同様に、一致すればそのＩＤで接続し、一致しない場合には大小を比較してサブシステムＩＤ登録テーブル１６ｂの検索対象範囲を狭めていき、更にその範囲の中心に格納されているシステムＩＤと比較する、という手順を繰り返す。これにより、１つのチェック対象のＩＤについて、最大でも９回の比較を行えば、当該ＩＤがサブシステムＩＤ登録テーブル１６ｂに登録されているシステムＩＤと一致するか否かが判明するものである。
そして、検波テーブル１６ｄに登録されているシステムＩＤを受信レベルの高い順に順次チェックしていく。このようにして、２分探索法が行われる。
【００５１】
そして、検波テーブル１６ｄのシステムＩＤがいずれもサブシステムＩＤ登録テーブル１６ｂのシステムＩＤと一致しなかった場合には、検索処理手段１５ａは、処理１００に戻って再度検波を行う。
【００５２】
一方、処理１１０で、チェック対象のシステムＩＤによる接続が行われた場合には、検索処理手段１５ａは、サブシステムＩＤ登録テーブル１６ｂの、当該サブシステムＩＤに対応する接続回数をインクリメントして更新し、サブシステムＩＤ登録テーブル１６ｂの接続回数に基づいて頻度表１６ｃを更新する（１１２）。
【００５３】
そして、検索処理手段１５ａは、処理１１０で接続したシステムＩＤを、記憶部１６のホームＩＤ記憶エリア１６ａに記憶する（１１４）。
これにより、次に検波したときには一番最近接続したシステムＩＤがホームシステムＩＤとして登録されており、接続の可能性の高いシステムＩＤを先に検索することができ、検索時間を短縮することができるものである。
尚、処理１１０で接続した後、目的のシステムＩＤとの接続でないと判明した場合には、操作部１３からの電源オフ／オンにより、処理１００に戻って再度検波を行う。
このようにして検索処理手段１５ａのシステムＩＤ検索処理が行われるものである。
【００５４】
また、上述した例では、ＰＨＳ端末の電源がオフ／オンされた場合にシステムＩＤ検索処理を開始するものとしたが、それに限らず、例えば、ホームシステムＩＤで接続している状態において、予め設定された一定時間ホームシステムＩＤが検出できない時にシステムＩＤ検索処理を開始して、処理１００の検波を行うようにしてもよい。この場合には、処理１０２のホームシステムＩＤとの比較は省略してよい。
【００５５】
尚、別の処理として、処理１１４で、最も新しく接続したシステムＩＤをホームシステムＩＤとしてホームＩＤ記憶エリア１６ａに登録するのではなく、処理１１２で更新した頻度表１６ｃに基づいて、最も接続回数の多いシステムＩＤをホームＩＤ記憶エリア１６ａに登録するようにしてもよい。
【００５６】
更に、別の処理においては、ホームシステムＩＤは頻度表の先頭に記載されているシステムＩＤと同一であるから、処理１０２のホームシステムＩＤとの比較は省略し、処理１００の次は処理１０６として、頻度表１６ｃとの比較から検索を開始すればよい。
尚、別の処理では、ホームシステムＩＤ自体を記憶していなくてよいので、記憶部１６にホームＩＤ記憶エリアを設けなくてもよい。
【００５７】
［本ＰＨＳ端末の接続シーケンス：図６］
次に、本ＰＨＳ端末の接続シーケンスについて図６を用いて説明する。図６は、本ＰＨＳ端末の接続シーケンスを示す説明図である。
図６に示すように、ＰＨＳ端末は、図５に示したシステムＩＤ検索処理により、基地局からの電波を受信して検波し、接続するシステムＩＤを特定した場合、当該システムＩＤの主制御装置宛に位置登録要求を送信する（Ｓ１）。
【００５８】
基地局は、位置登録要求を受信すると、主制御装置に送信する（Ｓ２）。
主制御装置は、位置登録要求を受信すると、システムＩＤ・ＰＳＩＤ・乱数を用いた認証演算処理を行って、本ＰＨＳ端末宛に呼設定受付（Ｓ３）及び認証要求を出力する（Ｓ４）。
【００５９】
ＰＨＳ端末は、基地局を介して呼設定受付及び認証要求を受信すると（Ｓ５，Ｓ６）、システムＩＤ・ＰＳＩＤ・乱数を用いた認証演算処理を行って、演算結果を含む認証応答を送信する（Ｓ７）。
【００６０】
主制御装置は、基地局を介して認証応答を受信すると（Ｓ８）、認証演算結果の照合を行い、認証照合結果を含む切断要求を送信する（Ｓ９）。主制御装置は、認証演算結果がＯＫであれば、これ以降ＰＨＳ端末からの通話要求を受け付けるものである。尚、通話要求においても認証確認は行われる。
【００６１】
ＰＨＳ端末は、基地局を介して切断要求を受信すると、回線解放の指示を送信し（Ｓ１１）、主制御装置は、回線解放の指示を受信すると（Ｓ１２）、解放完了を送信し（Ｓ１３）、本ＰＨＳ端末が解放完了を受信して（Ｓ１４）、接続シーケンスが終了する。
【００６２】
［実施の形態の効果］
本発明の実施の形態に係るＰＨＳ端末によれば、ホームＩＤ記憶エリア１６ａにホームシステムＩＤを１つ記憶し、サブシステムＩＤ登録テーブル１６ｂに若番順に複数のサブシステムＩＤとそれに対応する接続回数を記憶し、更に頻度表に接続回数の多いサブシステムＩＤを回数の多い順に特定数記憶しておき、システムＩＤの検索時に、制御部１５の検索処理手段１５ａが、受信信号を検波して検出されたシステムＩＤを受信レベルの高い順に検波テーブル１６ｄに記憶し、検波テーブル１６ｄに記憶されているシステムＩＤを受信レベルの高い順にホームシステムＩＤと比較し、一致した場合には当該システムＩＤで接続し、いずれも一致しない場合には、受信レベルの高い順に頻度表１６ｃのシステムＩＤと頻度順に比較し、一致した場合には当該システムＩＤで接続し、いずれも一致しない場合には受信レベルの高い順にサブシステムＩＤ登録テーブル１６ｂと２分探索法により比較して、一致するシステムＩＤがあれば当該システムＩＤで接続すると共に、サブシステムＩＤ登録テーブル１６ｂの接続回数及び頻度表１６ｃを更新し、接続したシステムＩＤをホームシステムＩＤとしてホームＩＤ記憶エリア１６ａに記憶するＰＨＳ端末としているので、ホームシステムＩＤと頻度表を先に検索することにより、接続の可能性の高いシステムＩＤに絞って優先的に検索を行い、次に、サブシステムＩＤ登録テーブル１６ｂを２分探索法で検索することにより、検索回数を少なくして検索処理の高速化を図ることができ、ローミングに要する時間を大幅に短縮することができる効果がある。
【００６３】
また、本ＰＨＳ端末によれば、サブシステムＩＤ登録テーブル１６ｂに２９９個のサブシステムＩＤを登録しているので、従来に比べて利用可能なサブサブシステムが多くなり、乗務員は一つの端末で多くの列車や駅で通信を行うことができ、利便性を向上できる効果がある。
【００６４】
また、本ＰＨＳ端末によれば、直近に接続したシステムＩＤをホームシステムＩＤとしてホームＩＤ記憶エリア１６ａに登録するようにしているので、ホームシステムＩＤを最新の接続先に基づいて更新でき、接続の可能性の高いシステムＩＤを初めに検索して検索処理の高速化を図ることができる効果がある。
【００６５】
また、本ＰＨＳ端末によれば、サブシステムＩＤ登録テーブル１６ｂで最も接続回数の多いシステムＩＤをホームシステムＩＤとしてホームＩＤ記憶エリア１６ａに登録するようにしているので、ホームシステムＩＤを接続実績に基づいて更新することができ、接続の可能性の高いシステムＩＤを初めに検索して検索処理の高速化を図ることができる効果がある。
【００６６】
また、本ＰＨＳ端末によれば、ホームＩＤ記憶エリアを設けず、頻度表に基づいて頻度順に検索するようにしているので、接続実績に基づいて接続の可能性の高いシステムＩＤを初めに検索して検索処理の高速化を図ることができる効果がある。
【産業上の利用可能性】
【００６７】
本発明は、システムＩＤの検索を高速化して、多くのサブシステムを登録してもローミングを迅速に行うことができるＰＨＳ端末に適している。
【図面の簡単な説明】
【００６８】
【図１】本発明の実施の形態に係るＰＨＳ端末の構成ブロック図である。
【図２】サブシステムＩＤ登録テーブル１６ｂの模式説明図である。
【図３】頻度表１６ｃの模式説明図である。
【図４】検波テーブル１６ｄの模式説明図である。
【図５】検索処理手段１５ａの処理を示すフローチャート図である。
【図６】本ＰＨＳ端末の接続シーケンスを示す説明図である。
【図７】ＰＨＳを利用した通信システムの概略構成ブロック図である。
【図８】従来のＰＨＳ端末７１の接続時の処理（システムＩＤ検索処理）を示すフローチャート図である。
【符号の説明】
【００６９】
１１…マイク、  １２…スピーカ、  １３…操作部、  １４…表示部、  １５…制御部、  １５ａ…検索処理手段、  １６…記憶部、  １６ａ…ホームＩＤ記憶エリア、  １６ｂ…サブシステムＩＤ登録テーブル、  １６ｃ…頻度表、  １６ｄ…検波テーブル、  １７…無線部、  ７１…ＰＨＳ端末、  ７２…データ端末、  ７３…無線基地局、  ７４…主制御装置、  ７５…ＰＨＳ位置表示装置、  ７６…固定電話機、  ７７…ＰＢＸ、  ７８…ＬＡＮ、  ７９…サーバ
【図１】
2008211306.tif 000003
【図２】
2008211306.tif 000004
【図３】
2008211306.tif 000005
【図４】
2008211306.tif 000006
【図５】
2008211306.tif 000007
【図６】
2008211306.tif 000008
【図７】
2008211306.tif 000009
【図８】
2008211306.tif 000010